(57)【要約】【課題】セキュリティの保護が図れ、扉体の開放を容易にし、コストの低廉化が図れる隔て板を提供する。【解決手段】扉体８の上部枠１０の下端部に係止可能なフック部４２を有する一対のセキュリティフック４０と、上部枠及びセキュリティフックに設けられた貫通孔１２，４３を貫通して両セキュリティフックを連結する連結バンド６０と、両セキュリティフックの内方側に折り畳み可能に収納される無端状の把手５０と、を具備する。セキュリティフックは、上部枠の係合孔に係脱可能な係合突起と、セキュリティフックを引き離すための引張部４５と、を具備し、連結バンドは、長手方向の中央部に切断用溝６３が設けられ、中央部に関して対称位置に、セキュリティフックを上部枠に当接すべくセキュリティフックの貫通孔部に係合可能な内側係止突起６１と、セキュリティフックを仮止めすべくセキュリティフックの貫通孔部に係合可能な外側係止突起を設ける。【選択図】図５
2018145620.tif 000002
【特許請求の範囲】
【請求項１】
下向き凹溝を有する上部枠と、上向き凹溝を有する下部枠と、上端部が上記上部枠の下向き凹溝内に嵌め込まれ、下端部が上記下部枠の上向き凹溝内に嵌め込まれると共に、弾発部材の付勢力により弾性支持される扉体と、を具備する隔て板であって、
上記上部枠の表裏面に配置され、上記扉体の上枠の下端部に係止可能なフック部を有する一対のセキュリティフックと、
上記上部枠及びセキュリティフックに設けられた貫通孔を貫通して上記一対のセキュリティフックを連結する連結バンドと、を具備し、
上記セキュリティフックは、上記上部枠に設けられた係合孔に係脱可能に係合する係合突起と、該セキュリティフックを上記上部枠から引き離すための引張部と、を具備し、
上記連結バンドは、薄帯状に形成され、長手方向の中央部に切断用溝が設けられ、上記セキュリティフックを上記上部枠に当接すべくセキュリティフックの貫通孔部に係合可能な内側係止突起と、上記セキュリティフックを仮止めすべくセキュリティフックの貫通孔部に係合可能な外側係止突起と、を具備してなる、
ことを特徴とする隔て板。
【請求項２】
請求項１記載の隔て板において、
上記扉体の上枠に設けられた挿通孔に挿通される可撓性を有する無端状に形成され、上記一対のセキュリティフックの内方側に折り畳み可能に収納される把手を更に具備してなる、ことを特徴とする隔て板。
【請求項３】
請求項１又は２に記載の隔て板において、
上記セキュリティフックは、上記挿通孔内に該セキュリティフックの内方側に向かって上り傾斜状の爪部を有し、
上記連結バンドの上記内側係止突起及び外側係止突起は、連結バンドの長手方向の外側から内側に向かって上り傾斜状に形成されると共に、上記爪部の先端垂直面に係合可能に形成されている、ことを特徴とする隔て板。
【請求項４】
請求項１又は２に記載の隔て板において、
上記セキュリティフックは、上記挿通孔内に該セキュリティフックの内方側に向かって上り傾斜状の爪部を有し、
上記連結バンドの上記内側係止突起は、連結バンドの長手方向の外側から内側に向かって上り傾斜状に形成されると共に、上記爪部の先端垂直面に係合可能に形成され、
上記外側係止突起は、上記連結バンドの長手方向に対して直交状に突設されると共に、上記セキュリティフックの挿通孔内を挿通する弾性変形可能に形成されている、ことを特徴とする隔て板。
【請求項５】
請求項１ないし４のいずれかに記載の隔て板において、
上記セキュリティフックは、下端部に上記フック部を有する板状のフック本体の裏面上端部に、上記上部枠に当接可能なフック本体傾斜用突部が突設されている、ことを特徴とする隔て板。
【請求項６】
請求項１ないし５のいずれかに記載の隔て板において、
上記把手は、帯状に形成されている、ことを特徴とする隔て板。
【請求項７】
請求項１ないし６のいずれかに記載の隔て板において、
上記セキュリティフックと上記上部枠とが落下防止用紐状部材にて連結されている、ことを特徴とする隔て板。
【発明の詳細な説明】
【技術分野】
【０００１】
この発明は、集合住宅等のベランダにおける各戸間の境界部分に設置される隔て板に関するものである。
【背景技術】
【０００２】
従来のこの種の隔て板において、セキュリティの保護を図れるようにしたものとして、パーテンションボード（隔て板）と躯体側に固定される固定具を貫通するロッドの両端部にラックギアを形成し、上記ラックギアと任意の位置で係合する数字合わせ式錠前を着脱自在に設けた構造のものが知られている（例えば、特許文献１参照）。
【先行技術文献】
【特許文献】
【０００３】
【特許文献１】特許第５８２７０８３号公報
【発明の概要】
【発明が解決しようとする課題】
【０００４】
しかしながら、特許文献１に記載のものにおいては、扉体の開放（転倒，取り外し等）を容易にすることができないため、セキュリティの保護が図れるが、数字を合わせて錠前を解錠しなければならないため、避難用には不向きであり、また、コストが嵩む等の課題がある。
【０００５】
この発明は、上記事情に鑑みてなされたもので、セキュリティの保護が図れると共に、扉体の開放を容易にすることができ、かつ、コストの低廉化が図れるようにした隔て板を提供する。
【課題を解決するための手段】
【０００６】
上記課題を解決するため、この発明に係る隔て板は、下向き凹溝を有する上部枠と、上向き凹溝を有する下部枠と、上端部が上記上部枠の下向き凹溝内に嵌め込まれ、下端部が上記下部枠の上向き凹溝内に嵌め込まれると共に、弾発部材の付勢力により弾性支持される扉体と、を具備する隔て板であって、  上記上部枠の表裏面に配置され、上記扉体の上枠の下端部に係止可能なフック部を有する一対のセキュリティフックと、  上記上部枠及びセキュリティフックに設けられた貫通孔を貫通して上記一対のセキュリティフックを連結する連結バンドと、を具備し、  上記セキュリティフックは、上記上部枠に設けられた係合孔に係脱可能に係合する係合突起と、該セキュリティフックを上記上部枠から引き離すための引張部と、を具備し、  上記連結バンドは、薄帯状に形成され、長手方向の中央部に切断用溝が設けられ、上記セキュリティフックを上記上部枠に当接すべくセキュリティフックの貫通孔部に係合可能な内側係止突起と、上記セキュリティフックを仮止めすべくセキュリティフックの貫通孔部に係合可能な外側係止突起と、を具備してなる、ことを特徴とする（請求項１）。
この場合、上記扉体の上枠に設けられた挿通孔に挿通される可撓性を有する無端状に形成され、上記一対のセキュリティフックの内方側に折り畳み可能に収納される把手を更に具備するのがよい（請求項２）。
【０００７】
このように構成することにより、重なった状態の上部枠の貫通孔及びセキュリティフックの貫通孔に連結バンドを挿通させ、一方のセキュリティフックの貫通孔部に連結バンドの一方の外側係止突起を係合し、かつ、他方のセキュリティフックの貫通孔部に連結バンドの内側係止突起を係合させると共に、連結バンドの一方側を引いて他方のセキュリティフックのフック部を扉体の上枠に係止した後、一方のセキュリティフックを上部枠側に押し付けつつ連結バンドを引いて一方のセキュリティフックの貫通孔部に連結バンドの一方の内側係止突起を係合させると共に、一方のセキュリティフックのフック部を扉体の上枠に係止して、上部枠の表裏面に一対のセキュリティフックを配置することができる。この際、帯状に形成された把手を両セキュリティフックの内方に折り畳んで収納する。
【０００８】
避難時には、避難者が引張部を掴んで連結バンドを外方側に引っ張ることで、連結バンドが切断用溝の箇所で切断してセキュリティフックが上部枠側から切り離されて把手が露呈する。露呈した把手を下方側に引っ張ると、扉体が弾発部材の付勢力に抗して押し下げることにより、扉体の上端部を上部枠の下向き凹溝内から外して扉体を転倒又は開口から取り外すことができる。
【０００９】
この発明において、上記セキュリティフックは、上記挿通孔内に該セキュリティフックの内方側に向かって上り傾斜状の爪部を有し、上記連結バンドの上記内側係止突起及び外側係止突起は、連結バンドの長手方向の外側から内側に向かって上り傾斜状に形成されると共に、上記爪部の先端垂直面に係合可能に形成するのがよい（請求項３）。
【００１０】
また、請求項３における上記外側係止突起に代えて、上記外側係止突起は、上記連結バンドの長手方向に対して直交状に突設されると共に、上記セキュリティフックの挿通孔内を挿通する弾性変形可能に形成してもよい（請求項４）。
【００１１】
また、この発明において、上記セキュリティフックは、下端部に上記フック部を有する板状のフック本体の裏面上端部に、上記上部枠に当接可能なフック本体傾斜用突部が突設されているのが好ましい（請求項５）。
このように構成することにより、セキュリティフックを傾斜させてフック部を扉体の上枠に確実に係合させることができる。
【００１２】
また、この発明において、上記把手は可撓性を有する無端状に形成されていれば任意の形状であっても差し支えないが、好ましくは帯状に形成されているのがよい（請求項６）。
このように構成することにより、把手を折り畳んでセキュリティフックの内方に容易に収納することができる。
【００１３】
加えて、この発明において、上記セキュリティフックと上記上部枠とが落下防止用紐状部材にて連結されているのが好ましい（請求項７）。
このように構成することにより、避難時にセキュリティフックを切り離した状態においても、セキュリティフックは落下防止用紐状部材によって上部枠に連結されるので、セキュリティフックが紛失する虞がない。
【発明の効果】
【００１４】
この発明によれば、上記のように構成されているので、以下のような優れた効果が得られる。
【００１５】
開口の上部枠の表裏面に配置される一対のセキュリティフックの内方に把手を折り畳んで収納することができ、また、引張部の直下方向の引っ張りでは、上部枠に設けられた係合孔とセキュリティフックの係合突起との係合により連結バンドが切断しないため、悪戯で扉体を開放するのを防止することができる。また、避難以外に意図的にセキュリティフックが切り離されて扉体が開放された状態では、上部枠に設けられた貫通孔が露呈した状態となり、開放されているのが容易に判別できる。したがって、セキュリティの保護を図ることができる。
【００１６】
避難時に、避難者が引張部を掴んで連結バンドを外方側に引っ張ることで、連結バンドが切断してセキュリティフックが上部枠側から切り離されて把手が露呈するので、把手を下方側に引っ張ると、扉体が弾発部材の付勢力に抗して押し下げられることにより、扉体の上端部を上部枠の下向き凹溝内から外して扉体を転倒又は開口から取り外すことができる。したがって、破壊せずに隔て板に開設された開口を塞ぐ扉体を押し下げる操作によって簡単に避難用の開口部を確保することができる。
【００１７】
連結バンドを交換するだけで、セキュリティフックを再利用することができるので、コストの低廉化が図れる。
【図面の簡単な説明】
【００１８】
【図１】この発明の第１実施形態に係る隔て板の設置状態を示す正面図である。
【図２】この発明における扉体とばね部材を示す断面斜視図である。
【図３】第１実施形態におけるセキュリティフックを切り離した状態を示す斜視図である。
【図３Ａ】第１実施形態におけるセキュリティフックの一部を断面で示す斜視図である。
【図３Ｂ】この発明における連結バンドの断面図（ａ）、（ａ）のＩ部拡大断面図（ｂ）、（ａ）のII部拡大断面図（ｃ）及び（ａ）のIII部拡大断面図（ｄ）である。
【図４】上記セキュリティフックを取り付けた状態を示す斜視図である。
【図５】上記セキュリティフックを取り付けた状態を示す要部断面図（ａ）及び（ａ）のIV部拡大断面図（ｂ）である。
【図６】上記セキュリティフックを取り付ける状態を示す斜視図である。
【図７】上記セキュリティフックを取り付ける前の状態を示す断面図である。
【図８】上記セキュリティフックを取り付ける途中の状態を示す断面図である。
【図９】上記セキュリティフックの取り付け後の状態を示す断面図である。
【図１０】上記セキュリティフックを切り離した状態を示す断面図である。
【図１１】扉体を取り外す状態を示す断面図である。
【図１２】この発明の第２実施形態におけるセキュリティフックを取り付けた状態を示す斜視図である。
【図１３】第２実施形態におけるセキュリティフックを取り付ける状態を示す斜視図である。
【図１４】第２実施形態におけるセキュリティフックを取り付ける前の状態を示す断面図（ａ）及びセキュリティフックに連結バンドを取り付ける状態を示す断面図（ｂ）である。
【図１５】第２実施形態におけるセキュリティフックを取り付ける途中の状態を示す断面図である。
【図１６】第２実施形態におけるセキュリティフックの取り付け後の状態を示す断面図である。
【図１７】第２実施形態におけるセキュリティフックを切り離した状態を示す断面図である。
【発明を実施するための形態】
【００１９】
以下に、この発明に係る隔て板の実施形態を添付図面に基づいて詳細に説明する。
【００２０】
この発明に係る隔て板１は、図１及び図３に示すように、集合住宅等のベランダ２における各戸間の境界部分の建物の躯体３とベランダ２のスラブ４に設置固定されて、隔て板１を構成する方形状に形成された一対の側枠５ａと、上部横枠５ｂ，下部横枠５ｃ及び仕切り横枠５ｄからなる枠材５と、枠材５内に嵌め込まれる例えば珪酸カルシウムボードや、フレキシブルボード（繊維強化セメント板）のような破壊可能な材料からなる板材６と、両側枠５ａと仕切り横枠５ｄと下部横枠５ｃによって開設される開口７に着脱可能に取り付けられる扉体８とを備えている。
【００２１】
上記隔て板１は、図１に示すように、開口７（例えば、幅：７００ｍｍ、高さ：９００ｍｍ）の上端縁である仕切り横枠５ｄに固定ねじ（図示せず）によって固定される下向き凹溝１１を有する上部枠１０と、開口７の下端縁に固定ねじ（図示せず）によって固定される上向き凹溝２１を有する下部枠２０と、上端部が上部枠１０の下向き凹溝１１内に嵌め込まれ、下端部が下部枠２０の上向き凹溝２１内に嵌め込まれる扉体８と、下部枠２０の上向き凹溝２１内に配置され、扉体８を弾性支持すると共に、付勢力によって扉体８の上端部を上部枠１０の下向き凹溝１１内に嵌め込む複数例えば２個の弾発部材である圧縮コイルばね３０と、扉体８の上枠８ａに取り付けられる可撓性を有する帯状の把手５０と、上部枠１０の表裏面に配置され、内方に把手５０を折り畳んだ状態で収納する一対のセキュリティフック４０と、両セキュリティフック４０を連結する連結バンド６０と、を具備している。
【００２２】
上部枠１０及び下部枠２０は夫々例えばアルミニウム製押出形材にて断面コ字状に形成されており、長手方向の両端部には、それぞれ合成樹脂製の上部枠及び下部枠小口キャップ（図示せず）が被着されている。
【００２３】
この場合、上部枠１０の長手方向の中央部には、連結バンド６０が貫通可能な横長矩形状の貫通孔１２が設けられ、貫通孔１２の両側にはセキュリティフック４０に設けられた係合突起４６が係脱可能な係合孔１３が設けられている。なお、セキュリティフック４０に設けられた係合突起４６は、先端がテーパ状に形成されており、係合孔１３への係合が確実に行われるようになっている。
また、上部枠１０には、後述する落下防止用紐状部材例えば落下防止用糸７０の一端部を繋着する取付孔１４が設けられている。
なお、上部枠１０の下向き凹溝１１内には、扉体８の上端部の上方への移動を規制するスペーサ１５が配置されている。この場合、スペーサ１５は上部枠１０の全長に亘ってではなく、一定間隔で適宜数設けられている。
【００２４】
上記扉体８は、板材６と同様の材料すなわち例えば珪酸カルシウムボードにて形成されており、扉体８の両側縁部には側枠８ｅが装着され、扉体８の上縁部には上枠８ａが装着され、扉体８の下縁部には下枠８ｄが装着されている。なお、扉体８の幅寸法は、開口７の寸法より若干小さい幅寸法（例えば、幅：６５０ｍｍ、高さ：８４０ｍｍ）に設定されている。この場合、側枠８ｅ，上枠８ａ及び下枠８ｄは例えばアルミニウム製押出形材にて形成されている。
【００２５】
上枠８ａは、図４に示すように、仕切壁８ｆによって区画される２つの中空部８ｇ，８ｈを有する中空矩形状基部８ｉの一端に扉体８を構成する板材６の側縁部を嵌合する扉嵌合溝８ｊが形成されている。また、上枠８ａの下部側にはセキュリティフック４０のフック部４２が係合可能な段差部８ｂが設けられている。また、上枠８ａの長手方向の中央部の２箇所には把手５０が挿通可能な縦長矩形状の挿通孔８ｃが設けられている（図３及び図６参照）。なお、上枠８ａの上端部の長手方向の中央部には、連結バンド６０との干渉を回避するための凹部８ｓが設けられている。
【００２６】
下枠８ｄは、図２に示すように、仕切壁８ｋによって区画される２つの中空部８ｍ，８ｎを有する中空矩形状基部８ｐの一端に扉体８を構成する板材６の側縁部を嵌合する扉嵌合溝８ｑを有しており、扉嵌合溝８ｑの開口端には外側に向かうフランジ部８ｒが形成されている。なお、下枠８ｄは、上枠８ａと同一の部材を上下反転して用いる。
【００２７】
上記圧縮コイルばね３０は、下部枠２０の上向き凹溝２１内の長手方向の中心部に対して対称の２箇所に配置されている。この場合、圧縮コイルばね３０は、最下端の１巻目と２巻目の隙間に、コイル内径より大径の座金３１を介在し、上方から圧縮コイルばね３０の内方空間部にドライバ等の工具を挿入して、座金３１を貫通する固定ねじ３２を下部枠２０の底部にねじ結合することで下部枠２０に固定されている（図２参照）。なお、扉体８の横幅が大きい場合は、扉体が重くなるので、適宜圧縮コイルばね３０の数を増やして対応する。
【００２８】
上記のように構成される圧縮コイルばね３０により、下部枠２０の上向き凹溝２１内に下端部が嵌め込まれる扉体８を弾性支持すると共に、付勢力によって扉体８の上端部を上部枠１０の下向き凹溝１１内に嵌め込むことができる。この場合、圧縮コイルばね３０は収縮幅を広くすることができるので、開口７から扉体８を取り外す際の扉体８の荷重による負担を軽減することができる。
【００２９】
上記セキュリティフック４０は、例えば耐候性ポリプロピレン等の合成樹脂製部材にて形成されている。セキュリティフック４０は、図３Ａに示すように、矩形板状のフック本体４１と、フック本体４１の下端から裏面側に直交状に屈曲するフック部４２と、フック本体４１の表面側の中央部に隆起する隆起部４７と、フック本体４１の中央部に設けられる、連結バンド６０が貫通可能な横長矩形状の貫通孔４３と、フック本体４１の裏面側における貫通孔４３の両側に突設される係合突起４６と、フック本体４１の裏面側の上端部に突設されるフック本体傾斜用突部４８と、を具備している。この場合、貫通孔４３の内方開口側部に、セキュリティフック４０の内方側に向かって上り傾斜状の先端に垂直係合面を有する爪部４４が形成されている（図５（ｂ）参照）。
【００３０】
また、セキュリティフック４０の表面側の隆起部４７の下端垂下部４７ａには貫通孔４７ｂが設けられており、この貫通孔４７ｂに、セキュリティフック４０を上部枠１０から引き離すための引張部であるリング状引張部材４５が装着されている。
【００３１】
なお、セキュリティフック４０のフック本体４１の上部角部に、一端が上部枠１０に設けられた取付孔１４に繋着される落下防止用糸７０の他端部を繋着する取付孔４１ａが設けられている。このように、落下防止用糸７０でセキュリティフック４０と上部枠１０とを連結することで、避難時に切り離されたセキュリティフック４０の紛失を防止することができる。これにより、切り離されたセキュリティフック４０がぶら下がった状態となり、セキュリティ解除状態が一目瞭然となる。
【００３２】
上記連結バンド６０は、例えば耐候性ポリプロピレン等の合成樹脂製の薄帯状部材にて形成されており、図３Ｂに示すように、長手方向の中央部に切断用溝６３が設けられ、中央部に関して対称位置に、セキュリティフック４０を上部枠１０に当接すべくセキュリティフック４０の貫通孔４３部に係合可能な内側係止突起６１と、セキュリティフック４０を仮止めすべくセキュリティフック４０の貫通孔４３部に係合可能な外側係止突起６２と、を具備している。なお、両内側係止突起６１は扉体８の厚さに対応した位置に設けられている。
【００３３】
この場合、内側係止突起６１及び外側係止突起６２は、貫通孔４３内に突出する爪部４４に係合可能に形成される。すなわち、内側係止突起６１と外側係止突起６２は、連結バンド６０の長手方向の外側から内側に向かって上り傾斜状の先端に垂直係合面を有する断面略三角形状に形成されており、セキュリティフック４０の貫通孔４３に設けられた外方側に向かって上り傾斜状の爪部４４の垂直係合面に係合可能に形成される（図５（ｂ）参照）。
【００３４】
上記のように、セキュリティフック４０の貫通孔４３内に突出する爪部４４をセキュリティフック４０の内方側に向かって上り傾斜状に形成し、連結バンド６０に設けられる内側係止突起６１と外側係止突起６２は、連結バンド６０の長手方向の外側から内側に向かって上り傾斜状に形成することにより、貫通孔４３内に連結バンド６０を挿通する際は爪部４４と内側係止突起６１及び外側係止突起６２は係合せず、連結バンド６０を挿通方向と逆方向に引っ張って移動した場合のみ爪部４４と内側係止突起６１及び外側係止突起６２とが係合する。したがって、連結バンド６０の取付を容易にすることができる。
【００３５】
なお、連結バンド６０の長手方向の中央部６０ａは両側に比べて肉厚に形成されており、中央部６０ａに形成される切断用溝６３の底部の厚みは両側より肉薄に形成されている。このように、中央部６０ａを両側より肉厚に形成し、切断用溝６３の底部の厚みを両側より肉薄に形成することにより、連結バンド６０を外方に引っ張ることで、連結バンド６０を切断用溝６３で切断することができる。
【００３６】
把手５０は、可撓性を有する無端状（環状）の帯状体にて形成されており、扉体８の上枠８ａの長手方向の中央部の２箇所に設けられた縦長矩形状の挿通孔８ｃを挿通して、扉体８の表裏面側に露出する。この把手５０は、折り畳まれた状態でセキュリティフック４０の内方側に収納されている。
【００３７】
次に、隔て板１に開設された開口７内に扉体８を取り付ける手順について、図６ないし図９を参照して説明する。なお、図６ないし図９においては、上枠８ａと下枠８ｄの細部の符号は省略してある。まず、他方のセキュリティフック４０（図面左側）の貫通孔４３に連結バンド６０を他方端より挿通し、貫通孔４３に設けた爪部４４に連結バンド６０の他方の内側係止突起６１を係合する。そして、連結バンド６０の一方端を、上部枠１０の貫通孔１２の他方側から挿入する。次に、一方のセキュリティフック４０（図面右側）の貫通孔４３に、連結バンド６０を一方端より挿通し、貫通孔４３に設けた爪部４４に連結バンド６０の一方の外側係止突起６２を係合する（図６、図７参照）。
【００３８】
次に、扉体８を開口７に取り付ける。扉体８を取り付けるには、扉体８の下端部を下部枠２０に上向き凹溝２１内に挿入して圧縮コイルばね３０の付勢力に抗して嵌め込む。そして、扉体８の上端部を上部枠１０の下方に位置させて、圧縮コイルばね３０の付勢力によって扉体８の上端部を上部枠１０の下向き凹溝１１に嵌め込んで、取り付ける。
【００３９】
次に、連結バンド６０の一方側を手前（図面右側）に引き、他方のセキュリティフック４０を上枠８ａに係止する（図８参照）。その後、連結バンド６０を引いた状態で、一方のセキュリティフック４０を上枠８ａ側に押し付けるようにして、一方のセキュリティフック４０の爪部４４と連結バンド６０の内側係止突起６１とを係合する。この際、帯状に形成された把手５０を両セキュリティフック４０の内方に折り畳んで収納する。両セキュリティフック４０を上部枠１０の表裏面に配置した後、セキュリティフック４０の外方に突出している連結バンド６０を切断してセキュリティフック４０の取付を完了する（図９参照）。
【００４０】
上部枠１０の表裏面に配置されたセキュリティフック４０は、フック本体４１の裏面上端部に突設されたフック本体傾斜用突部４８が上部枠１０に当接することで、セキュリティフック４０の下端部を扉体８側に傾斜させてフック部４２を扉体８の上枠８ａに確実に係合させることができる。
【００４１】
避難時には、図１０に示すように、避難者がリング状引張部材４５を掴んで連結バンド６０を外方側に引っ張ると、連結バンド６０の切断用溝６３が切断してセキュリティフック４０が上部枠１０側から切り離されて把手５０が露呈する。この露出した把手５０を下方側に引っ張ると、図１１に示すように、扉体８が圧縮コイルばね３０の付勢力に抗して押し下げられ、扉体８の上端部を上部枠１０の下向き凹溝１１内から外して扉体８を転倒又は開口７から取り外すことができる。したがって、破壊せずに隔て板１に開設された開口７を塞ぐ扉体８を押し下げる操作によって簡単に避難用の開口部を確保することができる。
【００４２】
なお、避難時に上部枠１０側から切り離されたセキュリティフック４０は落下防止用糸７０によって上部枠１０に連結されているので、紛失することがない。
【００４３】
上記第１実施形態では、引張部がリング状引張部材４５にて形成され、また、連結バンド６０の外側係止突起６２が連結バンド６０の長手方向の外側から内側に向かって上り傾斜状に形成される場合について説明したが、以下に示す第２実施形態のように引張部と外側係止突起を別の形態としてもよい。
【００４４】
例えば、図１２及び図１３に示すように、引張部をセキュリティフック４０Ａのフック本体４１の表面側における隆起部４７の両側に一体に突設される一対のコ字状引張部４５Ａにて形成してもよい。この場合、セキュリティフック４０Ａのフック本体４１は第１実施形態のフック本体４１に比べて横幅が広く形成されている。
【００４５】
また、図１３ないし図１５に示すように、外側係止突起を連結バンド６０Ａの長手方向に対して直交状に突設されると共に、セキュリティフック４０Ａの貫通孔４３内を挿通する弾性変形可能なＴ字状突起６２Ａにて形成してもよい。このＴ字状突起６２Ａは、図１４（ｂ）に示すように、セキュリティフック４０Ａの貫通孔４３内を挿通する際は連結バンド６０Ａ側に倒れるように変形し、貫通孔４３内を挿通した後は、連結バンド６０Ａと直交状に復帰してセキュリティフック４０Ａを仮止めすることができる。
【００４６】
なお、第２実施形態において、その他の部分は第１実施形態と同じであるので、同一部分には同一符号を付して説明は省略する。
【００４７】
次に、第２実施形態のセキュリティフック４０Ａと連結バンド６０Ａを用いて隔て板１の開口７に扉体８を取り付ける手順について、図１４ないし図１６を参照して説明する。まず、他方のセキュリティフック４０Ａ（図面左側）の貫通孔４３に、連結バンド６０Ａの外側係止突起６２Ａを弾性変形させた状態で他方端より挿通し、連結バンド６０Ａの他方の外側係止突起６２Ａを係合する（図１４参照）。そして、連結バンド６０Ａの一方端を、上部枠１０の貫通孔１２の他方側から挿入する。次に、一方のセキュリティフック４０Ａ（図面右側）の貫通孔４３に、連結バンド６０の外側係止突起６２Ａを弾性変形させた状態で一方端より挿通し、連結バンド６０Ａの一方の外側係止突起６２Ａを係合する。
【００４８】
次に、扉体８を開口７に取り付ける。扉体８を取り付けるには、上述したように、扉体８の下端部を下部枠２０に上向き凹溝２１内に挿入して圧縮コイルばね３０の付勢力に抗して嵌め込む。そして、扉体８の上端部を上部枠１０の下方に位置させて、圧縮コイルばね３０の付勢力によって扉体８の上端部を上部枠１０の下向き凹溝１１に嵌め込んで、取り付ける。
【００４９】
次に、連結バンド６０Ａの他方側を手前（図面左側）に引き、連結バンド６０Ａの他方の内側係止突起６１を貫通孔４３の爪部４４に係合させると共に、他方のセキュリティフック４０Ａを上枠８ａに係止する（図１５参照）。その後、連結バンド６０Ａを引いた状態で、一方のセキュリティフック４０Ａを上枠８ａ側に押し付けるようにして、一方のセキュリティフック４０Ａの爪部４４と連結バンド６０Ａの内側係止突起６１とを係合する。この際、帯状に形成された把手５０を両セキュリティフック４０の内方に折り畳んで収納する。両セキュリティフック４０を上部枠１０の表裏面に配置した後、セキュリティフック４０の外方に突出している連結バンド６０を切断してセキュリティフック４０の取付を完了する（図１６参照）。
【００５０】
上部枠１０の表裏面に配置されたセキュリティフック４０Ａは、フック本体４１の裏面上端部に突設されたフック本体傾斜用突部４８が上部枠１０に当接することで、セキュリティフック４０Ａの下端部を扉体８側に傾斜させてフック部４２を扉体８の上枠８ａに確実に係合させることができる。
【００５１】
避難時には、図１７に示すように、避難者がコ字状引張部４５Ａを掴んで連結バンド６０Ａを外方側に引っ張ると、連結バンド６０Ａの切断用溝６３が切断してセキュリティフック４０Ａが上部枠１０側から切り離されて把手５０が露呈する。この露出した把手５０を下方側に引っ張ると、上述したように、扉体８が圧縮コイルばね３０の付勢力に抗して押し下げられ、扉体８の上端部を上部枠１０の下向き凹溝１１内から外して扉体８を転倒又は開口７から取り外すことができる。したがって、破壊せずに隔て板１に開設された開口７を塞ぐ扉体８を押し下げる操作によって簡単に避難用の開口部を確保することができる。
【００５２】
上記実施形態の隔て板１によれば、開口７の上部枠１０の表裏面に配置される一対のセキュリティフック４０（４０Ａ）の内方に把手５０を収納することができ、また、引張部（リング状引張部材４５，コ字状引張部４５Ａ）の直下方向の引っ張りでは、係合突起４６と係合孔１３との係合により連結バンド６０（６０Ａ）に引張力が作用せず切断しないため、悪戯で扉体８を開放するのを防止することができる。また、避難以外に意図的にセキュリティフック４０（４０Ａ）が切り離されて扉体８が開放された状態では、上部枠１０に設けられた貫通孔１２が露呈した状態となり、開放されているのが容易に判別できるので、セキュリティの保護を図ることができる。
【００５３】
また、把手５０は扉体８の上枠８ａに折り畳み可能に設けられることで、扉体８の表裏面は平坦にできるので、扉体の表裏面に把手を取り付けたものに比べて扉体８の板材６の表裏面の塗装を容易にすることができる。
【００５４】
また、避難時に上部枠１０側から切り離されたセキュリティフック４０（４０Ａ）は落下防止用糸７０によって上部枠１０に連結されているので、紛失することがない。したがって、連結バンド６０（６０Ａ）を交換するだけで、セキュリティフック４０（４０Ａ）を再利用することができるので、コストの低廉化が図れる。
【００５５】
なお、上記第１実施形態において第２実施形態のセキュリティフック４０Ａを適用してもよく、また、第２実施形態の連結バンド６０Ａを適用してもよい。また、第２実施形態に第１実施形態のセキュリティフック４０又は連結バンド６０を適用してもよい。
【符号の説明】
【００５６】
１  隔て板
７  開口
８  扉体
８ａ  上枠
８ｂ  段差部
８ｃ  挿通孔
１０  上部枠
１１  下向き凹溝
１２  貫通孔
１３  係合孔
２０  下部枠
２１  上向き凹溝
３０  圧縮コイルばね（弾発部材）
４０，４０Ａ  セキュリティフック
４１  フック本体
４２  フック部
４３  貫通孔
４４  爪部
４５  リング状引張部材（引張部）
４５Ａ  コ字状引張部（引張部）
４６  係合突起
４８  フック本体傾斜用突部
５０  把手
６０，６０Ａ  連結バンド
６１  内側係止突起
６２  外側係止突起
６２Ａ  Ｔ字状突起（外側係止突起）
６３  切断用溝
７０  落下防止用糸（落下防止用紐状部材）
【図１】
2018145620.tif 000003
【図２】
2018145620.tif 000004
【図３】
2018145620.tif 000005
【図３Ａ】
2018145620.tif 000006
【図３Ｂ】
2018145620.tif 000007
【図４】
2018145620.tif 000008
【図５】
2018145620.tif 000009
【図６】
2018145620.tif 000010
【図７】
2018145620.tif 000011
【図８】
2018145620.tif 000012
【図９】
2018145620.tif 000013
【図１０】
2018145620.tif 000014
【図１１】
2018145620.tif 000015
【図１２】
2018145620.tif 000016
【図１３】
2018145620.tif 000017
【図１４】
2018145620.tif 000018
【図１５】
2018145620.tif 000019
【図１６】
2018145620.tif 000020
【図１７】
2018145620.tif 000021